(57)【要約】　　　（修正有）【課題】紙幣投入機への紙幣進入後の紙幣の窃盗或いは抜き取りの防止。【解決手段】主体の一側に、導入口を具えた紙幣カートリッジ２が嵌め込まれ、且つ紙幣カートリッジから離れた別側表面に紙幣投入口を具えたパネルが設けられ、パネルの紙幣投入口の後方に検出装置３が設けられ、さらに、上述の紙幣カートリッジの導入口に、ベースを具えた逆止め弾性片２３が設けられ、逆止め弾性片のベース２３１から離れた一側に懸空端２３２があり、懸空端が検出装置の上ベース３１と下ベース３２間に形成されたチャネル３０部分に弾性により圧接され、逆止め弾性片により紙幣進入後の紙幣の窃盗或いは抜き取りを防止する。【選択図】　　　　図５
0003099319.tif 000002
【実用新案登録請求の範囲】
【請求項１】
　主体、紙幣カートリッジ、及び検出装置からなり、該主体の一側に、導入口を具えた紙幣カートリッジが嵌設され、該紙幣カートリッジから離れた別側表面に、紙幣投入口を具えたパネルが設けられ、該パネルの紙幣投入口の後方に検出装置が設けられた紙幣投入機において、
　該検出装置に上ベースと下ベースが設けられ、上ベースと下ベースの間に紙幣の進出に供されるチャネルが設けられ、紙幣カートリッジの導入口にベースを具えた逆止め弾性片が設けられ、該逆止め弾性片のベースから離れた一側に懸空端が設けられ、該懸空端が上ベースと下ベースのチャネル部分に弾性により圧接されたことを特徴とする、紙幣投入機。
【請求項２】
　請求項１記載の紙幣投入機において、検出装置の下ベースのチャネル部分に複数の盗難防止フックが枢設されたことを特徴とする、紙幣投入機。
【請求項３】
　請求項１記載の紙幣投入機において、検出装置の下ベースのチャネルの末端部分に紙幣の進出を検出する機能を具えたセンサが設けられたことを特徴とする、紙幣投入機。
【請求項４】
　請求項１記載の紙幣投入機において、主体に収容室が設けられ、該収容室が検出装置を収容し、該収容室の両側板に相互に対応する係合溝が設けられ、且つ係合溝が上ベースの対応位置に設けられた係合部と相互に係止されたことを特徴とする、紙幣投入機。
【請求項５】
　請求項１記載の紙幣投入機において、主体内部に輸送機構と紙幣圧迫機構が枢設され、この輸送機構の各ベルト間に慣性輪シートが枢設され、各慣性輪シートに慣性輪が枢設されたことを特徴とする、紙幣投入機。
【請求項６】
　請求項１記載の紙幣投入機において、逆止め弾性片が回復弾性を具えた材料で形成されたことを特徴とする、紙幣投入機。
【請求項７】
　請求項１記載の紙幣投入機において、紙幣カートリッジの導入口に嵌め溝が設けられて、該嵌め溝に逆止め弾性片のベースが嵌め込まれて位置決めされたことを特徴とする、紙幣投入機。
【請求項８】
　請求項１記載の紙幣投入機において、逆止め弾性片の懸空端が紙幣の進入方向に沿って斜めに折り曲げられたことを特徴とする、紙幣投入機。
【考案の詳細な説明】
【技術分野】
【０００１】
　本考案は一種の紙幣投入機に係り、特に、紙幣カートリッジの導入口に逆止め弾性片が嵌設され、且つ逆止め弾性片の懸空端が検出装置のチャネル部分に弾性当接させられ、逆止め弾性片により紙幣進入後の紙幣の窃盗或いは引き出しが防止された、紙幣投入機に関する。
【背景技術】
【０００２】
　図７は周知の技術の側面断面図である。この周知の紙幣投入機はフレームケースＣを具え、その一側に紙幣の進入に供される紙幣投入口Ｃ１が設けられ、且つフレームケースＣ内の紙幣チャネルの上方と下方に紙幣識別装置用の基板Ｄ及び伝動装置Ｅが設けられ、並びにチャネル出口Ｃ２部分に盗難防止歯板Ｆが設けられて、紙幣が紙幣投入口Ｃ１より進入した後に盗まれたり引き出されて重複使用されるのを防止する。しかし、紙幣は軟性材質であり、強制的に引き出される時、紙幣が厳重に破損し、紙幣投入機が継続動作不能となり、且つ泥棒が比較的硬い、或いは靱性を具えた材料、例えばスチールワイヤ、金属板、ゴム板等で紙幣を引き出す時、その盗難防止機能では有効に盗難を防止できない。さらに、一般に用いられている盗難防止装置は多くの部品を必要とし、相互間の組合せと主体への組み付けを利用しているが、このような方式は、先に主体に盗難防止装置を取り付けるための空間を割り振っておかねばならず、且つ盗難防止装置相互間の組合せは非常に正確でなければならない。ゆえに製造と組み付け時のコストと困難度が高くなる。ゆえに上述の周知の盗難防止の設計は盗難防止機能を確実とするために改善と機能強化が必要である。
【考案の開示】
【考案が解決しようとする課題】
【０００３】
　本考案の主要な目的は、紙幣カートリッジの導入口にベースを具えた逆止め弾性片を設け、且つ逆止め弾性片の懸空端を検出装置の上ベースと下ベースの間に形成されたチャネル部分に圧接させ、逆止め弾性片により紙幣進入後の紙幣の窃盗或いは引き出しを防止することにある。
【０００４】
　本考案の次の目的は、逆止め弾性片をベースで紙幣カートリッジの導入口に嵌設し、ゆえに使用者が随時逆止め弾性片を交換できるようにし、並びに製造コストを減らせるようにすることにある。
【０００５】
　本考案の別の目的は、逆止め弾性片を金属或いはプラスチック等の弾性を具えた材料で形成できるものとし、その材料の適用性及び選択を広げることにある。
【課題を解決するための手段】
【０００６】
　請求項１の考案は、主体、紙幣カートリッジ、及び検出装置からなり、該主体の一側に、導入口を具えた紙幣カートリッジが嵌設され、該紙幣カートリッジから離れた別側表面に、紙幣投入口を具えたパネルが設けられ、該パネルの紙幣投入口の後方に検出装置が設けられた紙幣投入機において、
　該検出装置に上ベースと下ベースが設けられ、上ベースと下ベースの間に紙幣の進出に供されるチャネルが設けられ、紙幣カートリッジの導入口にベースを具えた逆止め弾性片が設けられ、該逆止め弾性片のベースから離れた一側に懸空端が設けられ、該懸空端が上ベースと下ベースのチャネル部分に弾性により圧接されたことを特徴とする、紙幣投入機としている。
　請求項２の考案は、請求項１記載の紙幣投入機において、検出装置の下ベースのチャネル部分に複数の盗難防止フックが枢設されたことを特徴とする、紙幣投入機としている。
　請求項３の考案は、請求項１記載の紙幣投入機において、検出装置の下ベースのチャネルの末端部分に紙幣の進出を検出する機能を具えたセンサが設けられたことを特徴とする、紙幣投入機としている。
　請求項４の考案は、請求項１記載の紙幣投入機において、主体に収容室が設けられ、該収容室が検出装置を収容し、該収容室の両側板に相互に対応する係合溝が設けられ、且つ係合溝が上ベースの対応位置に設けられた係合部と相互に係止されたことを特徴とする、紙幣投入機としている。
　請求項５の考案は、請求項１記載の紙幣投入機において、主体内部に輸送機構と紙幣圧迫機構が枢設され、この輸送機構の各ベルト間に慣性輪シートが枢設され、各慣性輪シートに慣性輪が枢設されたことを特徴とする、紙幣投入機としている。
　請求項６の考案は、請求項１記載の紙幣投入機において、逆止め弾性片が回復弾性を具えた材料で形成されたことを特徴とする、紙幣投入機としている。
　請求項７の考案は、請求項１記載の紙幣投入機において、紙幣カートリッジの導入口に嵌め溝が設けられて、該嵌め溝に逆止め弾性片のベースが嵌め込まれて位置決めされたことを特徴とする、紙幣投入機としている。
　請求項８の考案は、請求項１記載の紙幣投入機において、逆止め弾性片の懸空端が紙幣の進入方向に沿って斜めに折り曲げられたことを特徴とする、紙幣投入機としている。
【考案の効果】
【０００７】
　本考案によると、紙幣カートリッジの導入口にベースを具えた逆止め弾性片が設けられ、且つ逆止め弾性片の懸空端が検出装置の上ベースと下ベースの間に形成されたチャネル部分に圧接され、逆止め弾性片により紙幣進入後の紙幣の窃盗或いは引き出しを防止する。
【０００８】
　本考案によると、逆止め弾性片がベースで紙幣カートリッジの導入口に嵌設されし、ゆえに使用者が随時逆止め弾性片を交換でき、並びに製造コストを減らせる。
【０００９】
　本考案によると、逆止め弾性片が金属或いはプラスチック等の弾性を具えた材料で形成され、その材料の適用性及び選択が広げられている。
【考案を実施するための最良の形態】
【００１０】
　図１から図４は本考案の紙幣カートリッジの斜視図、本考案の分解斜視図、斜視図、及び側面断面図である。図示されるように、本考案は主体１、紙幣カートリッジ２及び検出装置３で組成されている。そのうち、該主体１のパネル１１に紙幣投入口１１１が設けられ、並びに後方の検出装置３と相互に組み合わされて、紙幣の挿入に供されて紙幣の識別の動作を行なう。上述の検出装置３は主体１内部に設けられた輸送機構４と紙幣圧迫機構５に連接され、この輸送機構４は各ベルト４１間に慣性輪シート４２が設けられ、且つ慣性輪シート４２に慣性輪４２１が枢設されて、紙幣を平穏に紙幣圧迫機構５の上に放置するのに供され、これにより紙幣が順調に上方に枢設された紙幣カートリッジ２内に置かれる。さらに、上述の検出装置３には上ベース３１と下ベース３２が設けられ、上ベース３１に、相互に対向する係合部３１１が設けられ、通風孔１４係合部３１１が主体１下方の収容室１０の両側板１２に設けられた係合溝１２１内に係合して位置決めされる。別に、上ベース３１と下ベース３２間に紙幣の進出に供されるチャネル３０が設けられ、且つ下ベース３２のチャネル３０の折れ曲がり部分に盗難防止フック３２１とセンサ３２２が設けられている。さらに、上述の主体１は、パネル１１より離れた別側に導入口２１を具えた紙幣カートリッジ２が嵌設され、且つ紙幣カートリッジ２の導入口２１には嵌め溝２２が設けられ、該嵌め溝２２に逆止め弾性片２３のベース２３１が嵌め込まれ位置決めされる。且つ逆止め弾性片２３のベース２３１から離れた一側に傾斜するよう折り曲げられた懸空端２３２が設けられ、該逆止め弾性片２３の懸空端２３２が上ベース３１と下ベース３２のチャネル３０部分に弾性により圧接され、これにより本考案の全体の組立が完成している。
【００１１】
　図４、図５、図６に示されるように、上述の部品の組合せ完成後、上述の検出装置３の上ベース３１と下ベース３２は相互に対向し、且つ相互に検出信号を伝送し、紙幣が紙幣投入口１１１よりチャネル３０に進入する時、検出装置３が偽札を識別する動作を行ない、且つ紙幣がチャネル３０に進入すると同時に、続けて順方向に逆止め弾性片２３の懸空端２３２を圧迫し、逆止め弾性片２３の懸空端２３２に弾性変形を形成させ、これにより紙幣が検出装置３を通過した後、懸空端２３２の回復弾性により、懸空端２３２がもとの位置に回復する。このとき、泥棒がロープ、ゴムバンド或いは金属片等を使用して後ろ向きに紙幣を引っ張っても、紙幣は懸空端２３２の阻止を受けて退出不能であり、ロープ、ゴムバンド或いは金属片が張力過大により断裂し、順方向の紙幣送りと逆止めの効果を達成し、これにより簡単且つ有効に盗難防止機能を達成できる。
【００１２】
　さらに、本考案のチャネル３０はＬ形に垂直に折り曲げられ、ゆえに紙幣投入口１１１と伝送平面は同一平面になく、これによっても良好な盗難防止効果を有する。且つ上述の逆止め弾性片２３は金属或いはプラスチック等の回復弾性を有する材料で形成でき、ゆえにその材料の適用性及び選択も広く、且つその構造と構成は簡単で着脱自在であり、大幅に組立と製造コストを減らすことができる。
【００１３】
　総合すると、本考案の紙幣投入機は使用時に確実にその機能と目的を達成し、ゆえに実用性に優れており、実用新案登録の要件を具えている。
【図面の簡単な説明】
【００１４】
【図１】本考案の紙幣カートリッジの斜視図である。
【図２】本考案の分解斜視図である。
【図３】本考案の斜視図である。
【図４】本考案の側面断面図である。
【図５】図４の局部拡大図である。
【図６】図４の局部拡大図である。
【図７】周知の技術の側面断面図である。
【符号の説明】
【００１５】
１　主体
１０　客室　　　　　　　　　１２　側板
１１　パネル　　　　　　　　１２１　係合溝
１１１　紙幣投入口
２　紙幣カートリッジ
２１　導入口　　　　　　　　２３１　ベース
２２　嵌め溝　　　　　　　　２３２　懸空端
２３　逆止め弾性片
３　検出装置
３０　チャネル　　　　　　　３２　下ベース
３１　上ベース　　　　　　　３２１　盗難防止フック
３１１　係合部　　　　　　　３２２　センサ
４　輸送機構
４１　ベルト　　　　　　　　４２１　慣性輪
４２　慣性輪シート
５　紙幣圧迫機構
Ｃ　フレームケース
Ｃ１　紙幣投入口　　　　　　Ｃ２　チャネル出口
Ｄ　基板
Ｅ　伝動装置
Ｆ　盗難防止歯板
【図１】
0003099319.tif 000003
【図２】
0003099319.tif 000004
【図３】
0003099319.tif 000005
【図４】
0003099319.tif 000006
【図５】
0003099319.tif 000007
【図６】
0003099319.tif 000008
【図７】
0003099319.tif 000009